(57)【要約】      （修正有）【課題】抗菌及び防蚊防虫効果を具有し、快適且つ便利に収納携帯できる防蚊抗菌タイプピクニックシートの構造を提供する。【解決手段】主にシート本体１０で構成する防蚊抗菌タイプピクニックシートの構造であり、一つの上表生地１１及び一つの下表生地１２で構成する。上表生地１１に含まれるのは、全面的に防蚊薬剤及び防水薬剤を具有する一つの表生地で構成する一つの表生地層及び一つのコーティング層である。シート本体１０の上表生地１１及び下表生地１２の間に、複数個の平行に間隔を開けて配列する充填スペースを具有する。複数個の気孔部１５はそれぞれシート本体の少なくとも片側に設置し、それぞれ充填スペース及びシート本体の外部に連通する。【選択図】図１
0003216561.tif 000002
【実用新案登録請求の範囲】
【請求項１】
シート本体を含み、
該シート本体は上表生地及び下表生地を具有し、該上表生地に含まれるのは、表生地層及びコーティング層であり、該表生地層は全面的に防蚊薬剤及び防水薬剤を具有する一つの表生地で構成し、該コーティング層は該表生地層の表面に被せ、該シート本体の該上表生地及び該下表生地の間に、複数個の平行に間隔を開けて配列する充填スペースを具有し、及び、
複数個の気孔部はそれぞれ該シート本体の該上表生地の少なくとも片側に設置し、それぞれ該複数個の充填スペース及び該シート本体の外部に連通することを特徴とする防蚊抗菌タイプピクニックシートの構造。
【請求項２】
前記コーティング層はコーティング接着剤を含み、該コーティング接着剤はポリウレタンコーティング接着剤、Ｎ、Ｎ−メジチルホルムアミド、架橋剤及び抗菌剤を含むことを特徴とする請求項１記載の防蚊抗菌タイプピクニックシートの構造。
【請求項３】
更に複数個の圧縮でき、且つ隙間を具有する充填物を含み、該複数個の充填物はそれぞれ該複数個の充填スペースを埋めることを特徴とする請求項１或いは請求項２記載の防蚊抗菌タイプピクニックシートの構造。
【請求項４】
更に少なくとも一つのドレープ層を含み、該ドレープ層の片側は該複数の気孔部を具有する該シート本体の少なくとも片側と連結し、該複数の気孔部の上方を蓋合することを特徴とする請求項１或いは請求項２記載の防蚊抗菌タイプピクニックシートの構造。
【請求項５】
該ドレープ層の片側は、該複数の気孔部を具有する該シート本体の片側と連結し、且つ該ドレープ層と該上表生地との間は、一つの開放式の収納スペースを形成することを特徴とする請求項４記載の防蚊抗菌タイプピクニックシートの構造。
【請求項６】
更に一つの空気栓部を含み、該空気栓部は該気孔部の上を蓋合することができ、それにより該複数の充填スペースを該シート本体の外部と隔離することを特徴とする請求項１或いは請求項２記載の防蚊抗菌タイプピクニックシートの構造。
【考案の詳細な説明】
【技術分野】
【０００１】
本考案は一種の戸外で使用し、抗菌及び防蚊防虫効果を具有する防蚊抗菌タイプピクニックシートの構造に関する。
【背景技術】
【０００２】
近年戸外レジャーイベントのニーズが高くなり、アウトドア活動が盛んになり、郊外で直に座って食事をして休憩し、大自然の洗礼を受けるのは、現代人の憩いの一時として、大変贅沢なものである。しかし、郊外の芝生や泥のある場所、或いは砂地にそのまま座るのは、不快であるだけでなく、湿気或いは汚れで座れないこともあるため、ピクニックシートは欠かせないものである。
【０００３】
従来のピクニックシートの多くは帆布、アルミホイル或いは普通の生地などの材質で作られたシートであり、ドリンクや食べ物、或いは人が上で寝そべることができる。しかし、抗菌、防蚊のものが少なく、柔らかく快適などにデザインされたものは少ない。
【０００４】
戸外の湿度が比較的高い環境において、蚊や虫、ばい菌が多い。このような条件の下で、様々なイベントを行うと、ばい菌と蚊や虫に侵害され、感染或いは体の不快を引き起こし、身体機能が下がることになり、様々な不良の結果を招く。
大量の防蚊或いは殺菌用品或いは装置を携帯するのは、アウトドア活動にとっては、非現実的且つ不便である。従来のピクニックシートのデザインは、柔らかくなく、快適ではないほか、更に抗菌防蚊機能を持つ製品はほぼない。
【０００５】
上記を鑑みて、改良するなら、柔らかく快適且つ軽量で携帯しやすい条件のほか、同時に戸外の蚊や虫、ばい菌が発生しやすい環境に抵抗し、煩雑な防蚊或いは殺菌用品に頼らず、抗菌防蚊の効果を備え付けなければならない。
しかし、市販のピクニックシートは、便利に携帯するための軽量な骨組みは、その大半が快適ではなく、或いは軽くて薄すぎて破れやすく、使用上不便だけでなく、レジャーを存分に楽しめない。更に防蚊抗菌の効果を求める場合、殆どが余分な用品或いは装備を買い揃えなければならないことを鑑みて、更なる改善が必要であった。
【先行技術文献】
【特許文献】
【０００６】
【特許文献１】特開平９−１００３５号公報
【特許文献２】特開２００１−１７８５９４号公報
【考案の概要】
【考案が解決しようとする課題】
【０００７】
前記公知構造の欠点は、１．従来のピクニックシートの構造は雑で、有効的に柔らかく快適且つ軽量で便利に携帯する機能に達することができない。２．従来技術のピクニックシートを使用するには、別途防蚊抗菌の製品を合わせてのみ、防蚊抗菌の目的に達する。上記の欠点を解決するため、本考案は組立便利且つ高い効果が得られると共に使用する際の便利性と経済性などを考慮した防蚊抗菌タイプピクニックシートの構造を提供することを主な課題とする。
【課題を解決するための手段】
【０００８】
本考案が前記問題を解決して得た結果は：１．圧縮を通じて、隙間を具有する充填物と結合設置し、有効的にピクニックシートの柔らかく快適及び軽量で携帯しやすい効果を強化する。２．ピクニックシートの生地面にコーティング層を添加する。防水の目的に達するほか、更に有効的に防蚊防虫抗菌製剤を結合することで、直接紡績物がもたらす防蚊抗菌効果を利用し、有効的に防蚊抗菌のプロテクトルートになる。
【０００９】
本考案が提供する防蚊抗菌タイプピクニックシートに含まれるのは一つのシート本体である。それは一つの上表生地及び一つの下表生地を具有し、上表生地に含まれるのは、一つの表生地層及び一つのコーティング層である。表生地層は全面的に防蚊薬剤及び防水薬剤を具有する一つの表生地で構成し、コーティング層は表生地層の表面に被せる。シート本体の上表生地及び下表生地の間に、複数個の平行に間隔を開けて配列する充填スペースを具有する。及び、複数個の気孔部はそれぞれシート本体の該上表生地の少なくとも片側に設置し、それぞれ複数個の充填スペース及びシート本体の外部に連通する。
【００１０】
一つの実施例において、本考案の防蚊抗菌タイプピクニックシートは、更に複数個の圧縮でき、且つ隙間を具有する充填物を含む。複数個の充填物はそれぞれ複数個の充填スペースを埋める。
【００１１】
別の一つの実施例において、本考案の防蚊抗菌タイプピクニックシートは更に少なくとも一つのドレープ層を含み、ドレープ層の片側は該気孔部を具有するシート本体の片側と連結し、気孔部の上方を蓋合する。
【００１２】
別の一つの実施例において、本考案の防蚊抗菌タイプピクニックシートは、ドレープ層の片側は、気孔部を具有するシート本体の片側と連結し、且つドレープ層と上表生地との間は、一つの開放式の収納スペースを形成する。
【００１３】
別の一つの実施例において、本考案の防蚊抗菌タイプピクニックシートは、更に一つの空気栓部を含み、空気栓部は気孔部の上を蓋合することができ、それにより充填スペースをシート本体の外部と隔離する。
【考案の効果】
【００１４】
本考案の構造及び加工により、生地は直接防蚊抗菌の効果を持ち、及び小さく畳むことができるため、軽量で便利に収納携帯できる効果を兼ね備える。
【図面の簡単な説明】
【００１５】
【図１】本考案のシート本体における一つの具体的実施例の略図である。
【図２】本考案のシート本体における一つの具体的実施例の側面図である。
【図３】図２のｂ部分のシート本体の上表生地、下表生地と充填スペースに関する一つの具体的実施例の略図である。
【図４】本考案の防蚊抗菌タイプピクニックシートに、ドレープ層を具有する一つの具体的実施例の略図である。
【図５】本考案の防蚊抗菌タイプピクニックシートに、空気栓部を具有する一つの具体的実施例の略図である。
【図６】図５ｃ部分の空気栓部に関する一つの具体的実施例の拡大略図である。
【図７】本考案の防蚊抗菌タイプピクニックシートにおける一つの具体的実施例の略図である。
【考案を実施するための形態】
【００１６】
以下、本考案の構造と特徴および効果を、最良実施例と図面を参照しながら詳細に説明する。
【実施例】
【００１７】
図１に示すのは、本考案のシート本体１０における一つの具体的実施例の略図である。防蚊抗菌タイプピクニックシートに含まれるのは一つのシート本体１０である。シート本体１０は上表生地１１及び下表生地１２を具有し、上表生地１１に含まれるのは、表生地層２１及びコーティング層２２である。
表生地層２１は全面的に防蚊薬剤及び防水薬剤を具有する一つの表生地で構成し、コーティング層２２は表生地層２１の表面に被せる。シート本体１０の上表生地１１及び下表生地１２の間に、複数個の平行に間隔を開けて配列する充填スペース２３を具有する。複数個の気孔部１５はそれぞれシート本体１０の上表生地１１の少なくとも片側に設置し、それぞれ複数個の充填スペース２３及びシート本体１０の外部に連通する。
【００１８】
表生地層２１は織物定型マシンの中でのパディング過程において、防蚊薬剤を添加して防蚊処理を行う。添加量は織物の重さに対して４〜６％とし、１３０〜１５０℃の条件の下で乾かす。表生地層２１は織物定型マシンのパディング過程において、防水薬剤を添加して防水処理を行う。添加量は織物の重さに対して４〜６％とし、１４０〜１８０℃の条件の下で乾かす。
【００１９】
上記ＮＫ１０は一種の純天然植物の抗寄生虫添加剤であり、ＰＲＯＦＹＬ ＮＫ１０は一種の防蚊防虫効果のある添加剤である。ゲラニオールはＮＫ１０仕上げ剤の主な活性物質であり、植物から採取したエキスで、多くの利点を具有し、有効的に生物に分解され、環境及び性能、安全面でも完璧なバランスを保つ。ＮＫ１０の環境有効分解率は９５％であり、Ｏｅｋｏ−Ｔｅｘの認証を得ている。安全且つ環境に優しい防蚊防虫の化学添加剤である。
【００２０】
防蚊防虫処理及び防水処理の二つの行程を行った後、続いて防蚊防虫と防水処理した後のファブリック３２にコーティングを行う。コーティング接着剤の配合は：コーティング層で使用するコーティング接着剤は、常用の溶剤型のポリウレタンコーティング接着剤であり、粘着性がよく、しっかりと生地と架橋反応を行う。溶剤型のポリウレタンコーティング接着剤は、水性のポリウレタンよりも耐久性に優れ、塗布量は１０〜４０ｇ／ｍ2である。
【００２１】
図２は本考案のシート本体１０における一つの具体的実施例の側面図である。図３は図２のｂ部分のシート本体の上表生地、下表生地と充填スペースに関する一つの具体的実施例の略図である。その中、コーティング層２２はコーティング接着剤を含み、コーティング接着剤はポリウレタンコーティング接着剤、Ｎ、Ｎ−メジチルホルムアミド、架橋剤及び抗菌剤を含む。防蚊抗菌タイプピクニックシートは更に複数個の圧縮でき、且つ隙間を具有する充填物２０を含む。これらの充填物２０はそれぞれ複数個の充填スペース１３を埋める。一つの具体的実施例において、充填物２０は綿、軟質ウレタンフォーム及び羽毛のうちの一つ、或いは上記の成分の組合せとする。
【００２２】
その中、前記の抗菌剤は、カナダトムソン社のUltra-Freshシリーズの抗菌剤を採用する。本考案が採用する抗菌剤の型はUltra-Fresh  ＤＭ−２５であり、それは一種の抗菌、防カビ、防ダニなどの機能を具有する抗菌剤である。アメリカ環境保護庁(ＥＰＡ)の登録と認証を受けている。Ultra-Fresh  ＤＭ−２５は一種の溶剤型キャリアの抗菌剤であり、最良実施例として、抗菌剤は溶剤型ＰＵコーティング、ＰＶＣとスポンジなどの製品に適用する。
【００２３】
架橋剤もまたポリウレタンタイプの架橋剤であり、ＰＵコーティング接着剤との互換性が比較的良く、粘着性も強く、ＰＵコーティング層と繊維は比較的良い結合力を持つのに有利である。塗布した後の織物には、比較的高い水圧に耐える効果を具有し、且つ素晴らしい耐久性を持つ。Ｎ、Ｎ−ジメチルホルムアミドはＰＵ接着剤を適切な粘着度にまで薄めるためのものである。塗布する過程において、まず一定量の溶剤型ＰＵ接着剤、一定量の防カビ抗菌剤ＤＭ−２５、一定量のＰＵ架橋剤及び一定量のＮ、Ｎ−ジメチルホルムアミドを特別にコーティング層に塗布するためのＰＵ接着剤に調合し、更にナイフコーティングの方法で(一種のコーティング層設備)、調合した接着剤を生地に塗り、更に生地をオーブンの中に入れて乾かすことで、調合した接着剤の中にあるＮ、Ｎ−ジメチルホルムアミドがきれいに蒸発する。一つの最良実施例において、塗布層の数は二から三層とする。
【００２４】
図４に示すように、本考案の防蚊抗菌タイプピクニックシートに、ドレープ層を具有する一つの具体的実施例の略図である。防蚊抗菌タイプピクニックシートは更に少なくとも一つのドレープ層４０を含み、ドレープ層４０の片側は気孔部１５を具有するシート本体１０の片側と連結し、気孔部１５の上方を蓋合する。一つの実施例において、ドレープ層４０の片側は、気孔部１５を具有するシート本体１０の片側と連結し、且つドレープ層４０と上表生地１１との間は、一つの開放式の収納スペース４２を形成する。
【００２５】
図５に示すのは、本考案の防蚊抗菌タイプピクニックシートに、空気栓部を具有する一つの具体的実施例の略図である。図６に示すのは、図５ｃ部分の空気栓部に関する一つの具体的実施例の拡大略図である。その中、空気栓部６０は気孔部１５の上を蓋合することができ、それにより充填スペース１３をシート本体１０の外部と隔離する。
【００２６】
図７に示すのは、本考案の防蚊抗菌タイプピクニックシートにおける一つの具体的実施例の略図である。シート本体１０を軸線１４に沿って折り畳み、複数個の圧縮でき、且つ隙間を具有する充填物２０を押し出した時、隙間の中にある空気７０は、圧縮されて押し出されると、気孔１５から放たれるため、シート本体１０の体積を縮小し、軽量で携帯して収納できる目的に達する。
【００２７】
以上の実施例は、本考案の具体的な実施例及び運用する技術手段である。本文の掲示或いは方法により多くの変更及び修正を行うことができ、これらの変更および調整を行っても本考案の重要な意義は失われず、本考案の範囲に含まれる。
【符号の説明】
【００２８】
１０  シート本体
１１  上表生地
１２  下表生地
１４  軸線
１５  気孔部
２０  充填物
２１  表生地層
２２  コーティング層
２３  充填スペース
４０  ドレープ層
４２  収納スペース
６０  空気栓部
７０  空気
【図１】
0003216561.tif 000003
【図２】
0003216561.tif 000004
【図３】
0003216561.tif 000005
【図４】
0003216561.tif 000006
【図５】
0003216561.tif 000007
【図６】
0003216561.tif 000008
【図７】
0003216561.tif 000009